(57)【要約】【課題】換気装置内部に埃や虫を侵入し難くし、万一埃や虫等が入り込んでも除去・清掃が容易な給気装置を提供すること。【解決手段】換気装置１の給気用ダクト１６Ａの他端部が、建物の外壁部Ｗ１に形成された外気導入開口部１７に接続され、外気導入開口部１７に給気用フード１８が接続され、給気用ダクト１６Ａの中間部であって外壁部Ｗ１の近傍に、フィルター機構としての防虫ユニット１９が設けられ、防虫ユニット１９のケース内には防虫ネット２０が着脱可能に設置されている給気装置。【選択図】  図１
2006071201.tif 000002
【特許請求の範囲】
【請求項１】
外気を所定の領域に案内する給気装置であって、
給気装置本体の外部にフィルター機構を設け、該フィルター機構にフィルターを挿脱可能な清掃用開口部を形成したことを特徴とする給気装置。
【請求項２】
前記清掃用開口部は、天井面に設けられた開口部の上部に配置されていることを特徴とする請求項１記載の給気装置。
【請求項３】
前記フィルター機構の筐体に電気集塵手段を接続して吸塵可能としたことを特徴とする給気装置。
【請求項４】
建物の外側の外気を導入する外気導入開口部と室内空気を排出する室内空気排気開口部とが近接して設置され、前記室内空気排気開口部に、前記外気導入開口部から虫が侵入することを防止する虫の忌避手段を着脱可能に設置したことを特徴とする給気装置。
【発明の詳細な説明】
【技術分野】
【０００１】
本発明は、防虫機能並びに防塵機能を備えた給気装置に関する。
【背景技術】
【０００２】
従来、換気装置は部屋や廊下の天井等に設置されており、外気を建物内部に取り入れる給気風路と、建物内部の空気を建物外に排出するための排気風路とを備えている。
【０００３】
換気装置の給気風路の上流側には、ダクトジョイントを介して第１の給気ダクトが接続され、第１の給気ダクトは建物の外壁に形成された外気導入用の開口部に接続されている。
【０００４】
換気装置の給気風路の下流側には、ダクトジョイントを介して第２の給気ダクトが接続され、第２の給気ダクトは建物内部の部屋の天井等に形成された給気用の開口部に接続されている。
【０００５】
換気装置の排気風路の上流側には、ダクトジョイントを介して第１の排気ダクトが接続され、第１の排気ダクトの他端部は建物内部の部屋の天井等に形成された排気用開口部に接続されている。
【０００６】
換気装置の給気風路の下流側には、ダクトジョイントを介して第２の排気ダクトが接続され、第２の排気ダクトの他端部は建物の外壁に形成された排気用開口部に接続されている。
【０００７】
換気装置の給気風路及び排気風路には、それぞれファン及びファンモーターが配備されて空気を送る動力源とされていると共に、フィルター機構が設置されており、建物の外部から建物内部に導入する外気の濾過等が行われるようになっている（例えば、特許文献１参照）。
【特許文献１】特開２００２−２４３２３８号公報
【発明の開示】
【発明が解決しようとする課題】
【０００８】
しかしながら、このような従来の換気装置では、建物外部から上流側給気ダクトに虫や埃が入り込んで、虫の死骸や埃等が上流側の第１の給気ダクトやフィルター機構等に堆積する恐れがある。また、換気装置内部に侵入した虫がフィルター機構等に詰まってしまうと、フィルター機構の掃除に手間がかかるという問題もある。
【０００９】
本発明は、このような問題に着目してなされたものであり、換気装置内部に埃や虫を侵入し難くし、万一埃や虫等が入り込んでも除去・清掃が容易な給気装置を提供することを目的とする。
【課題を解決するための手段】
【００１０】
上記課題を解決するために、本発明の給気装置は、外気を所定の領域に案内する給気装置であって、給気装置本体の外部にフィルター機構を設け、該フィルター機構にフィルターを挿脱可能な清掃用開口部を形成したことを特徴とする。前記フィルター機構を、防虫ネット、集塵フィルタ、Ｎｏｘフィルタの３枚重ねで構成すると、防虫、集塵、Ｎｏｘ除去が可能となる。また、前記フィルター機構に防虫ネットや回転ブラシを付けても良い。
【００１１】
本願の第２の給気装置は、前記の給気装置において、前記清掃用開口部は、天井面に設けられた開口部の上部に配置されていることを特徴とする。
【００１２】
本願の第３の給気装置は、前記フィルター機構の筐体に電気集塵手段を接続して吸塵可能としたことを特徴とする。
【００１３】
本願の第４の給気装置は、建物の外側の外気を導入する外気導入開口部と室内空気を排出する室内空気排気開口部とが隣接して設置され、前記室内空気排気開口部に、前記外気導入開口部から虫が侵入することを防止する虫の忌避手段を着脱可能に設置したことを特徴とする。前記忌避手段には薬剤の他に超音波や電気的手段がある。
【発明の効果】
【００１４】
本願の第１の給気装置によれば、フィルター機構によって埃や虫の侵入を防止できると共に、長期間の使用によって虫の死骸や塵埃等がフィルター機構に堆積しても清掃用開口部からフィルターを取り外して清掃できる。
【００１５】
本願の第２の給気装置によれば、設置場所の天井の点検口からフィルター機構の清掃用開口部を開けて掃除できるので、清掃が容易である。
【００１６】
本願の第３の給気装置によれば、フィルター機構の筐体に電気集塵手段を接続すれば、容易にフィルター機構内に入り込んだ埃や虫を清掃できる。
【００１７】
本願の第４の給気装置によれば、忌避手段により外気導入開口部から虫が入ることを防止できる。
【発明を実施するための最良の形態】
【００１８】
以下、本発明を実施するための最良の形態にかかる給気装置を、図面を参照にしつつ説明する。
【００１９】
図１は、この給気装置の主要構成を示しており、給気装置である換気装置１は例えば廊下の天井２の上に配設される。換気装置１の筐体３の内部は、給気風路４と排気風路５とが上下に区画して形成されており、仕切壁６Ａの下部が給気風路４とされ、仕切壁６Ａの上部が排気風路５とされている。図１においてＥＡは排気（Exhaust Air）、ＯＡは外気(Outer Air)、ＳＡは給気(Supply Air)、ＲＡは室内空気(Return Air)を示す。
【００２０】
仕切壁６Ａにはファンモーター７が固定されており、ファンモーター７の回転軸の下部には遠心ファンからなる給気ファン８が固定され、ファンモーター７の回転軸の上部には遠心ファンからなる排気ファン９が固定されている。給気ファン８及び排気ファン９の周囲にはファンケース１０、１１が装着されている。ファンケース１０、１１は空気を吸い込む吸込口１０Ａ、１１Ａと空気を吐出する吐出口１０Ｂ、１１Ｂとを備えている。
【００２１】
仕切壁６Ａの隣には熱交換素子１２の格納室１３が形成されている。熱交換素子１２は、段ボール板紙のように、平板な板紙上に波状断面の板紙を接着して、波状断面の空気の通路を一方向に向けて形成した第１の板材と、同様な構成の第２の板材とを、両者の空気の通路が直交するように多数層重ねて構成してなるものであり、第１の板材と第２の板材を通る空気の間において熱を伝達するものである。
【００２２】
熱交換素子１２の矩形断面の上部稜線部１２Ｕは、筐体３の上部壁支持部に支持され、熱交換素子１２の矩形断面の後部稜線部１２Ｒは筐体３の仕切壁６Ａに支持され、熱交換素子１２の矩形断面の下部稜線部１２Ｄは筐体３の底板部２４に支持され、熱交換素子１２の矩形断面の前部稜線部１２Ｆは筐体３の仕切壁６Ｂに支持されている。
【００２３】
これによって、格納室１３において、給気風路４は筐体３の仕切壁６Ａ下方から仕切壁６Ｂ上方に変更され、排気風路５は同様に仕切壁６Ａの上方から仕切壁６Ｂ下方に変更される。排気風路５において排気される室内空気ＲＡが熱交換素子１２を通過する前の部位にはフィルターＦ１が設けられている。筐体３の格納室１３の下部は開放されており、格納室１３の下部は底板部２４によって閉鎖されている。底板部２４は熱交換素子１２の下端部を支持すると共に、熱交換素子１２及び仕切壁６Ａ、６Ｂが給気風路４と排気風路５とを分けている。
【００２４】
筐体３は、ファンモータ７の近傍の側壁部３Ｌと、格納室１３側の側壁部３Ｒには、給気用或いは排気用のダクトがそれぞれ接続されるようになっている。側壁部３Ｌには給気風路４を構成する給気用開口部１４Ａと、排気風路５を形成する排気用開口部１４Ｂとが形成されている。給気用開口部１４Ａにはダクトジョイント１５Ａが取り付けられ、ダクトジョイント１５Ａには給気用ダクト１６Ａの一端部が接続されている。排気用開口部１４Ｂにはダクトジョイント１５Ｂが取り付けられている。ダクトジョイント１５Ｂには排気ＥＡを通す排気用ダクト１５Ｃの一端部が接続されている。
【００２５】
給気用ダクト１６Ａの他端部は、建物の外壁部Ｗ１に形成された外気導入開口部１７に接続され、外気導入開口部１７に給気用フード１８が接続されている。給気用ダクト１６Ａの中間部であって外壁部Ｗ１の近傍には、フィルター機構としての防虫ユニット１９が設けられ、防虫ユニット１９のケース内には防虫ネット２０が着脱可能に設置されている。
【００２６】
建物の天井であって防虫ユニット１９の下方の部位には、掃除用開口部２１Ａが形成され、掃除用開口部２１Ａには、蓋２１Ｂがヒンジ２１Ｃによって取り付けられており、蓋２１Ｂの自由端部は図示しないフックにより掃除用開口部２１Ａの縁部に掛止可能とされている。
【００２７】
筐体３の格納室１３側の側壁部３Ｒには、給気風路４の一部を構成する給気用開口部２２Ａと、排気風路５の一部を構成する排気用開口部２２Ｂとが形成されている。給気用開口部２２Ａと排気用開口部２２Ｂには、それぞれ、ダクトジョイント２３Ａとダクトジョイント２３Ｂが装着されている。室内への給気ＳＡを通すダクトジョイント２３Ａには図示しない給気用ダクトが接続され、室内空気ＲＡを通すダクトジョイント２３Ｂには図示しない排気用ダクトが接続されている。
【００２８】
底板部２４には室内空気を吸い込むための開口部２７が開口されている。底板部２４の下方には、開口部２７に室内空気を吸い込むための開口部２８Ａを備えた化粧パネル２８が着脱可能に取り付けられている。
【００２９】
図２の防虫ユニット１９は、両端部に外気ＯＡを取り込む給気用ダクト１６Ａが接続される中空の筐体１９Ａを備えており、筐体１９Ａの底部に取付穴１９Ｂ（清掃用開口部）が開口されている。この取付穴１９Ｂには防虫ネット２０の取付板部２０Ａが取り外し可能に固定される。防虫ネット２０の取付板部２０Ａの下部には、取り外しのための摘み２０Ｃが形成されている。防虫ネット２０の支持枠２０Ｂは筐体１９の内壁に密着して取り付けられており、防虫ネット２０と共に筐体１９の内部に虫や埃が入ることを防止している。防虫ネット２０の網目の大きさは、小さな虫や埃が侵入不可能な（網目を形成する空間の大きさが１ｍｍ×１ｍｍ以下）大きさをもっている。
【００３０】
この防虫ネット２０の網目は一重で構成されているが二重或いは三重等のように複数重なっていても良い。また、防虫ネットの代わりに綿若しくはスポンジ状のシートやマットで構成しても良いし、防虫ネットの風路下流側に更に綿若しくはスポンジ状のシートやマットを設置しても良い。
【００３１】
図３は、天井２の掃除用開口部２１Ａから蓋２１Ｂを開けて、防虫ネット２０を取り外した状態を示しており、防虫ネット２０にかかった虫の死骸や羽根等を除去できるようになっている。
【００３２】
上記の換気システムの動作について図１５、図１６を用いて説明する。給気ファン８の回転により外気導入開口部１７から外気ＯＡが導入され、外気導入用ダクト１６Ａを通して、外気ＯＡが防虫ユニット１９のケース内に導入される。導入された外気ＯＡは、防虫ネット２０などのフィルターにより、虫が除去される。虫が除去された外気ＯＡは外気導入用ダクト１６Ａを介して、給気用開口部１４Ａから換気装置１の本体内に取り入れられ、熱交換素子１２によって、排出される室内空気ＲＡと熱交換される。室内空気ＲＡと熱交換された外気ＯＡは、室内給気ダクト２３Ｃ（図１５参照）を介して室内の天井に設けられた給気グリル２３Ｅ（図１５参照）から各部屋に給気ＳＡとなって供給される。
【００３３】
室内を循環して汚れた室内空気ＲＡは、排気ファン９の回転により、ドアのアンダーカット部やガラリ部を通して、換気装置１の開口部２７及び他の室内の天井に設けられた吸込グリル２３Ｆ（図１５参照）に吸い込まれ、室内空気吸込ダクト２３Ｄにより、換気装置１の排気用開口部２２Ｂに導かれ、排気ダクトを通して屋外に排気される。
【００３４】
本換気システムは、所定換気回数（例えば、０．５回／毎時）を満たすように、常時換気を行っており、装置本体内より虫の侵入を防止又は抑制でき、各室内に新鮮できれいな空気を供給できる。尚、室内空気の吸込口は、換気装置１の本体下面の開口部２７のみでも良く、本体下面を閉鎖し、排気用開口部２２Ｂのみとしても良い。室内空気吸込口の個数はこれに限るものではない。
【実施例】
【００３５】
図４、図５は筐体１９Ａの下面部に掛止板２５を一対突設したものである。一対の掛止板２５には、天井２の掃除用開口部２１Ａを塞ぐ化粧板２６が掛止される。化粧板２６の裏面には掛止板２６Ａが一対形成されており、一対の掛止板２５の間に一対の掛止板２６Ａが圧入されることで着脱可能に取り付けられている。
【００３６】
図６は、防虫ネット２０を防虫ユニット１９の筐体１９Ａの中に水平に向けて設置した状態を示している。防虫ネット２０’は水平部と垂直部からなるＬ字断面形状を有しており、濾過面積を拡大して外気の吸引抵抗が減少化されている。筐体１９Ａの下部には開口部１９Ｂ’（清掃用開口部）が形成されており、開口部１９Ｂ’からヒンジ１９Ｃ’を介して蓋１９Ｄを開けると、防虫ネット２０’を取り外すことができるようになっている。筐体１９Ａの内部には、防虫ネット２０’の支持枠の前端部を支持する支持板部１９Ｅと、防虫ネット２０’の支持枠の上端部を支持する支持板部１９Ｆが形成されており、防虫ネット２０’の支持枠は支持板部１９Ｅ、１９Ｆに形成された支持突起１９Ｇ、１９Ｈに着脱可能に保持されるようになっている。
【００３７】
尚、防虫ユニット１９を掃除用開口部２１Ａから室内側へ取り出せるように構成することにより、防虫ユニット１９本体内の清掃も行えるようにしても良い。
【００３８】
図７は換気装置１の底板部２４に、外気の濾過用のフィルターＦ２と、虫を忌避する防虫用の忌避剤２９を設置したものである。フィルターＦ２は前述のフィルターＦ１と同様に熱交換素子１２に塵埃等が侵入することを防止している。忌避剤２９は昇華或いは蒸発して、換気装置１に吸い込まれた室内空気に分散され、昇華或いは蒸発した忌避剤２９を含んだ室内空気を排気風路５内を経由して、建物外壁の排気用フードから建物外部に排気する。忌避剤２９としては、例えば、ナフタリン、パラジクロロベンゼン、樟脳等の虫除け剤を挙げることができる。
【００３９】
図８は、図７の換気装置１と給気風路４と排気風路５の上下を逆にして設置した例を示す。すなわち、給気風路４は仕切壁６Ａの上部に設けられ、仕切壁６Ａの上部のファンは、外気を室内に取り込む給気ファン８とされている。仕切壁６Ａの上部のファンケース１０は、吸込口１０Ａから吸い込んだ空気を、吐出口１０Ｂから吐出して格納室１３内部に導入し、仕切壁６Ａの下部のファンケース１１は、吸込口１１Ａから吸い込んだ空気を、吐出口１１Ｂから吐出して格納室１３内部に導入するようにしている。
【００４０】
格納室１３において仕切壁６Ｂの下部は給気風路４とされ、仕切壁６Ｂの上部は排気風路５とされている。排気風路５における熱交換素子１２の上流側にはフィルターＦ１が設置され、給気風路４における熱交換素子１２の下流側にはフィルターＦ２が設置されている。フィルターＦ１は筐体３の上部壁部から取り外すことができるようになっている。フィルターＦ２は底板部２４から取り外し可能とされている。
【００４１】
底板部２４の開口部２７は外気を室内に給気する給気用の開口部とされ、底板部２４の下方に設置される化粧パネル２８の開口部２８Ａは外気を室内に給気する給気用の開口部とされている。底板部２４の排気風路５側に臨む面には防虫用の忌避剤２９が着脱可能に設置されている。防虫用の忌避剤２９は上述の通りである。図７、図８の換気装置１においてその他の構成は図１に記載したものと同様であるのでその説明を援用する。
【００４２】
図９乃至図１２は、外気を室内に導入する給気ダクト１６Ａに設置する防虫ユニット１９に防塵機能或いはＮｏｘ除去機能などの他の機能を付加した多機能ユニットの例を示す。
【００４３】
図９の多機能ユニット３０は、筒体状のケース３１の下部には開けることが出来る清掃用開口部３５が設けられ、蓋部３６で清掃用開口部３５を塞ぐことが出来るようになっている。ケース３１の蓋部には、防虫ネット３２と、集塵フィルター３３と、Ｎｏｘフィルター３４とが着脱可能に装着されている。蓋部３６を清掃用開口部３５から取り外すことにより、防虫ネット３２と、集塵フィルター３３と、Ｎｏｘフィルター３４はケース３１の下部から取り外し可能とされている。
【００４４】
多機能ユニット３０の下方の部位には、前述のように掃除用開口部２１Ａが形成され、掃除用開口部２１Ａには、蓋２１Ｂが着脱可能に取り付けられている。蓋２１Ｂを取り外し、蓋部３６を取り外して、防虫ネット３２と、集塵フィルター３３と、Ｎｏｘフィルター３４はケース３１の下部から取り外して、掃除できるようになっている。掃除をした後は、防虫ネット３２と、集塵フィルター３３と、Ｎｏｘフィルター３４を蓋部３６に装着した後、蓋部３６をケース３１の清掃用開口部３５に装着し、蓋２１Ｂを掃除用開口部２１Ａに装着する。
【００４５】
図１０の多機能ユニット４０は、図９の多機能ユニット３０の変形例である。この多機能ユニット４０は、ケース３１の内部に、筒体４１が着脱可能とされており、筒体４１の内部に、防虫ネット３２と、集塵フィルター３３と、Ｎｏｘフィルター３４とを備えている。ケース３１の下部には開口部が形成されており、ケース３１の開口部４２の中に筒体４１を挿入すると、ケース３１の開口部４２は封鎖されて空気が漏れないようになっている。防虫ネット３２と、集塵フィルター３３と、Ｎｏｘフィルター３４は筒体４１から取り外し可能とされている。その他の構成は図９と同様であるので説明を省略する。
【００４６】
図１１の多機能ユニット５０は、図９の防虫ネット３２の上流側に回転ブラシ５１を設置したものであり、回転ブラシ５１の回転軸５２を軸受５３で支持し、軸受５３を支持枠５４で支持したものであり、支持枠５４にモーター５５が設置されている。モーター５５は換気装置１のファンモーター７を駆動する制御回路に接続されており、ファンモーター７が回転するときに同時に回転したり、若しくは、周期的に回転するように接続されている。防虫ネット３２の上流側の下部には開口部５６Ａが形成されており、開口部５６Ａの下方に集塵容器５６が取り外し可能に装着されている。その他の構成は図９と同様であるのでその説明を用いる。
【００４７】
図１２は、図１１の多機能ユニット５０の更なる変形例であり、この多機能ユニット５０では、開口部５６Ａの下方に円筒５７が接続されており、この円筒５７の下端部に円形の蓋５８が装着されている。蓋５８と円筒５７との結合機構はネジ機構とされている。蓋５８を開けて円筒５７を室内に露出させたら、図示しない電気集塵手段である電気掃除機の吸込用の延長管５９を挿入してケース３１内の塵埃を吸引して除去する。
【００４８】
尚、この電気集塵手段は、家庭用の電気掃除機以外でも良く、通常時においても延長管５９等のダクトが集塵用機に接続されているセントラルクリーナのようなものでも良く、虫や埃を集塵できるものであれば他のものであっても良い。
【００４９】
尚、蓋５８は蓋５８が中央部で二つに分かれる分割構成としても良い。蓋５８を左右に分割の分割蓋板で構成する場合、ワンタッチで左右の分割蓋板を開閉できるように、左右の分割蓋板外周縁部のそれぞれの円弧部中央部と円筒５７の外周部とをヒンジで結合し、左右の分割蓋板が同時に開閉できるようにリンク機構で両者を結合する。更に、左右の分割蓋板とヒンジの固定部分に分割蓋板を開けるバネを装着し、一方の分割蓋板に他方の分割蓋板に掛け止める爪部を設けると共に、この爪部を他方の分割蓋板に掛止したり、解除したりできるように、爪部をスライド可能に設け、分割蓋板の室内側の面に爪部を動かすための摘みを設ける。
【００５０】
これによって、室内側から分割蓋板の摘みをスライドさせることで、一対の分割蓋板を開いて円筒５７を室内側に露出させたり、一対の分割蓋板を閉じたりすることができる。一対の分割蓋板を開ければ、円筒５７の縁部に電気掃除機の吸込口を接続することで、回転ブラシ５１によって溜まったゴミを電気掃除機で吸い取ることが出来る。尚、分割蓋板を開けたときに蓋板の上に溜まったゴミが室内に落下する場合があることを考慮すると、堆積した塵を受け止めるための内側容器を円筒５７に着脱可能に装着するか、若しくは、円筒５７の下端部を一旦水平方向に延ばした後に、鉛直下方に延ばしても良い。勿論、分割蓋板を設けることなく、建物に据え付けるビルトインタイプの電気掃除機の集塵ホース等に円筒５７を予め接続しても良い。
【００５１】
図１３、図１４は建物の天井２に換気装置１を設置し、換気装置１の排気風路５に防虫用忌避剤６０を設置したものである。
【００５２】
図１３の場合は、排気ダクト５Ａの建物外部の排気用フード６１の外側に忌避剤６０を設置し、図１４では排気ダクト５Ａの収納管６２の内部に忌避剤６０を設置したものである。
【００５３】
図１３の給気装置によれば、排気用フード６１の外部であって給気用フード６３の給気口近傍に防虫用忌避剤６０を配備したので、給気用フード６３に虫が接近せず、給気風路４に虫が入り込むことを防止できる。また、図１４の給気装置によれば、収納管６２内に防虫用忌避剤６０を配備し、排気用フード６１から室内空気が放出されるときに、忌避剤６０が拡散し、給気用フード６３に虫が接近せず、給気風路４に虫が入り込むことを防止できる。
【００５４】
なお、排気用フード６１や給気用フード６３に、蚊等の発生する羽音を検出するマイクロホンと、虫の嫌う高周波音（例えば、人を刺すメスの蚊が嫌うオスの蚊の羽音５kHz〜９khz）を発生するスピーカとを設置し、特定周波数の音を選択するフィルター機構回路を介してマイクロホンをマイコンに接続すると共に、マイコンに増幅器を介してスピーカを接続し、マイクロホンで蚊の音を検出したら、マイコンからの命令によってスピーカから虫の嫌う高周波音を発生して虫の侵入を阻止するようにしても良い。
【００５５】
尚、本発明の換気装置１は熱交換器を有していないものであっても良く、排気手段を持たない給気装置のみの換気装置であっても良い。掃除用開口部２１は換気装置１の点検を行うために設けられている点検口と併用することもできる。
【図面の簡単な説明】
【００５６】
【図１】図１は本発明の実施の形態にかかる給気装置の主要構成を示す図。
【図２】図２はフィルター機構としての防虫ユニットの主要構成を示す図。
【図３】防虫ユニットから防虫ネットを取り外した状態を示す図。
【図４】防虫ユニットに化粧板を設けた状態を示す図。
【図５】防虫ユニットの化粧板を取り外した状態を示す図。
【図６】防虫ユニットの防虫ネットに水平部を設けた状態を示す図。
【図７】図１の換気装置の排気風路に防虫用の忌避剤を設置した主要構成を示す換気装置の断面図。
【図８】図７の換気装置において給気風路と排気風路の上下を変更し、排気風路に防虫用の忌避剤を設置した構成を示す換気装置の断面図。
【図９】給気装置の給気ダクトに設置する第１の多機能ユニットの構成を示す断面図。
【図１０】給気装置の給気ダクトに設置する第２の多機能ユニットの構成を示す断面図。
【図１１】給気装置の給気ダクトに設置する第３の多機能ユニットの構成を示す断面図。
【図１２】給気装置の給気ダクトに設置する第４の多機能ユニットの構成を示す断面図。
【図１３】建物の排気ダクトの排気フードに防虫用の忌避剤を設置した例を示す図。
【図１４】建物の排気ダクトの収納管に防虫用の忌避剤を設置した例を示す図。
【図１５】建物において外気が室内に給気され、室内空気が排気される状態を示す図。
【図１６】建物において外気が室内に給気され、室内空気が排気される状態を示す平面図。
【符号の説明】
【００５７】
１  換気装置
２  天井
３  筐体
４  給気風路
５  排気風路
１６Ａ  給気ダクト
１９  防虫ユニット（フィルター機構）
２０  防虫ネット
【図１】
2006071201.tif 000003
【図２】
2006071201.tif 000004
【図３】
2006071201.tif 000005
【図４】
2006071201.tif 000006
【図５】
2006071201.tif 000007
【図６】
2006071201.tif 000008
【図７】
2006071201.tif 000009
【図８】
2006071201.tif 000010
【図９】
2006071201.tif 000011
【図１０】
2006071201.tif 000012
【図１１】
2006071201.tif 000013
【図１２】
2006071201.tif 000014
【図１３】
2006071201.tif 000015
【図１４】
2006071201.tif 000016
【図１５】
2006071201.tif 000017
【図１６】
2006071201.tif 000018